(57)【要約】【課題】液晶パネル等の電気光学パネルの駆動回路において、位相差補正回路で発生する熱による画質に対する悪影響を低減する。【解決手段】電気光学パネルの駆動回路は、基板上に形成されており、クロック信号ＣＬＸ及びクロック信号ＣＬＸと位相が異なる逆位相クロック信号ＣＬＸＩＮＶの間の位相差を補正する位相差補正回路（５００）と、位相差が補正されたクロック信号ＣＬＸ及び逆位相クロック信号ＣＬＸＩＮＶに基づいてデータ線を駆動するデータ線駆動回路（１５０）とを備えており、位相差補正回路（５００）は、少なくとも二つの回路部分に分断して形成されており、少なくとも二つの回路部分は、基板上において画素電極が平面配列されてなる画像表示領域（１１０）の辺に沿って画像表示領域（１１０）外の周辺領域に配列されている。【選択図】  図８
2004334114.tif 000002
【特許請求の範囲】
【請求項１】
基板上に、画素電極、該画素電極をスイッチング制御するスイッチング素子及び前記画素電極に前記スイッチング素子を介して画像信号を供給するためのデータ線を備えた電気光学パネルを駆動する電気光学パネルの駆動回路であって、
前記基板上に形成されており、第１クロック信号及び該第１クロック信号と位相が異なる第２クロック信号の間の位相差を補正する位相差補正回路と、
前記位相差が補正された第１及び第２クロック信号に基づいて前記データ線を駆動するデータ線駆動回路と
を備えており、
前記位相差補正回路は、少なくとも二つの回路部分に分断して形成されており、該少なくとも二つの回路部分は、前記基板上において前記画素電極が平面配列されてなる画像表示領域の辺に沿って該画像表示領域外の周辺領域に配列されていることを特徴とする電気光学パネルの駆動回路。
【請求項２】
前記データ線駆動回路は、前記第１及び第２クロック信号のクロック周期に応じて、前記画像信号をサンプリングして前記データ線に供給するタイミングを規定するサンプリングパルスとして、転送信号を順次出力する複数のシフトレジスタ段を含んでなるシフトレジスタ回路を有することを特徴とする請求項１に記載の電気光学パネルの駆動回路。
【請求項３】
前記基板上に、前記サンプリングパルスに応じて前記画像信号をサンプリングして前記データ線に供給するサンプリング回路を更に備えたことを特徴とする請求項２に記載の電気光学パネルの駆動回路。
【請求項４】
前記複数のシフトレジスタ段は、少なくとも一つのシフトレジスタ段を夫々含む複数のブロックに分断して形成されており、
該複数のブロックは、前記辺に沿って配列されており、
前記少なくとも二つの回路部分は、前記複数のブロックに対応して複数設けられていることを特徴とする請求項２又は３に記載の電気光学パネルの駆動回路。
【請求項５】
前記複数のシフトレジスタ段は、前記辺に沿って配列されており、
前記少なくとも二つの回路部分は、前記複数のシフトレジスタ段に個々に対応して複数設けられていることを特徴とする請求項２又は３に記載の電気光学パネルの駆動回路。
【請求項６】
前記少なくとも二つの回路部分は、前記辺の中央に対して対称な位置に配置された二つの回路部分からなることを特徴とする請求項１から５のいずれか一項に記載の電気光学パネルの駆動回路。
【請求項７】
前記二つの回路部分は、前記辺の両端に配置されていることを特徴とする請求項６に記載の電気光学パネルの駆動回路。
【請求項８】
前記基板上に形成されており、前記位相差補正回路における前記第１及び第２クロック信号を入力するための、前記位相差補正回路に一端が接続された信号配線と、
前記基板上に形成されており、前記信号配線の他端に接続された外部回路接続用端子と
を更に備えており、
前記位相差補正回路、前記信号配線及び前記外部回路接続用端子は、前記位相差補正回路から前記外部回路接続用端子に至る距離が、１０ｍｍ以内となるように平面配置されており、
前記外部回路接続用端子が、前記位相差補正回路からの熱を、前記信号配線を介して放熱する放熱経路として機能することを特徴とする請求項１から７のいずれか一項に記載の電気光学パネルの駆動回路。
【請求項９】
前記外部回路接続用端子には、前記信号配線を介して前記位相差補正回路からの熱が伝導されると共に放熱手段として機能するフレキシブルコネクタが接続されていることを特徴とする請求項８に記載の電気光学パネルの駆動回路。
【請求項１０】
前記距離は、２ｍｍ以内であることを特徴とする請求項８又は９に記載の電気光学パネルの駆動回路。
【請求項１１】
前記少なくとも二つの回路部分は、前記第１又は第２クロック信号が夫々供給される二本の同一クロック信号線に対して、並列に設けられていることを特徴とする請求項１から１０のいずれか一項に記載の電気光学パネルの駆動回路。
【請求項１２】
基板上に、画素電極、該画素電極をスイッチング制御するスイッチング素子及び前記画素電極に前記スイッチング素子を介して画像信号を供給するためのデータ線を備えた電気光学パネルを駆動する電気光学パネルの駆動回路であって、
前記基板上に形成されており、第１クロック信号及び該第１クロック信号と位相が異なる第２クロック信号の間の位相差を補正する位相差補正回路と、
前記位相差が補正された第１及び第２クロック信号に基づいて前記データ線を駆動するデータ線駆動回路と、
前記基板上に形成されており、前記位相差補正回路における前記第１及び第２クロック信号を入力するための、前記位相差補正回路に一端が接続された信号配線と、
前記基板上に形成されており、前記信号配線の他端に接続された外部回路接続用端子と、
前記外部回路接続用端子に接続されると共に前記位相差補正回路からの熱を前記信号配線及び前記外部回路接続用端子を介して放熱する放熱手段として機能するフレキシブルコネクタと
を備えたことを特徴とする電気光学パネルの駆動回路。
【請求項１３】
請求項１から１２のいずれか一項に記載の電気光学パネルの駆動回路及び前記電気光学パネルを備えたことを特徴とする電気光学装置。
【請求項１４】
請求項１３に記載の電気光学装置を具備してなることを特徴とする電子機器。
【発明の詳細な説明】
【０００１】
【発明の属する技術分野】
本発明は、例えば液晶パネル等の電気光学パネルを駆動する駆動回路、該電気光学パネル及び駆動回路を備えてなる例えば液晶装置等の電気光学装置、並びに該電気光学装置を備えてなる例えば液晶プロジェクタ等の電子機器の技術分野に属する。
【０００２】
【背景技術】
この種の電気光学パネルの駆動装置として、例えば、電気光学パネルのデータ線を駆動するデータ線駆動回路等がある。データ線駆動回路は、そのシフトレジスタ回路から出力される転送信号を、サンプリングパルスとして、サンプリング回路に順次出力するように構成されている。このサンプリングパルスに応じて、サンプリング回路は、画像信号線上の画像信号をサンプリングしてデータ線に供給するように構成されている。
【０００３】
このような駆動回路の構成においては、シフトレジスタ回路からの転送信号の出力は、データ線駆動回路に供給されるクロック信号及び該クロック信号が反転した反転クロック信号のクロック周期に同期して行われるのが一般的である。ここで一般には、クロック信号と反転クロック信号との間の位相差は、それらの生成方式に応じて、反転状態に対応する理想的な位相差である１８０度から大なり小なりずれている。
【０００４】
そこで従来は、例えば特許文献１に開示されているように、クロック信号及び反転クロック信号がシフトレジスタ回路に入力される前段に、これらのクロック信号及び反転クロック信号間の位相差を補正する位相差補正回路を設ける技術が開発されている。この技術によれば、極めて反転状態に近いクロック信号及び反転クロック信号を得ることができ、これらによって、データ線駆動回路における駆動動作を高精度で行うことが可能とされている。
【０００５】
【特許文献１】
特開２００１−１６６７４３号公報
【０００６】
【発明が解決しようとする課題】
しかしながら、位相差補正回路は、例えばインバータ回路等を含んでなり、補正する位相差に応じて電流が消費され、これに応じて位相差補正回路から熱が発生する。このような熱の発生量は、電気光学装置を構成する素子基板上に形成された他の駆動回路等に比べて通常は顕著に大きい。因みに、このような位相差補正回路における発熱量は、データ線駆動回路内のシフトレジスタ回路と比べて、例えば、数十倍或いは数百倍の大きさになり得る。この結果、画像表示領域における位相差補正回路が配置された個所に近い部分は、発熱に伴う局所的な温度上昇によって表示コントラストが他所と比べて異なってしまい、画像表示領域内に無視し得ない程度のコントラスト斑が発生しかねないという技術的問題点がある。例えば、クロック信号及び反転クロック信号の信号配線の基板上の引き回し方式に応じて、位相差補正回路は、例えば、画像表示領域の一つの角付近に配置されるが、この場合には、当該角付近で、コントラスト斑が発生してしまう。
【０００７】
尚、このような問題に対処すべく、位相差補正回路を画像表示領域からなるべく離して配置する対応策も考えられ得るが、限られた素子基板上で、位相差補正回路を画像表示領域から遠ざけるには、本質的な限界があり、しかも、素子基板の小型化或いは電気光学装置全体の小型化を図る際の障害となってしまう。
【０００８】
本発明は上記課題に鑑みなされたものであり、例えば、電気光学パネルの駆動回路内に設けられた位相差補正回路で発生する熱による画質に対する悪影響を低減可能である電気光学パネルの駆動回路、該駆動回路及び電気光学パネルを備えてなる電気光学装置、並びに、該電気光学装置を備えてなる各種電子機器を提供することを課題とする。
【０００９】
【課題を解決するための手段】
本発明の第１の電気光学パネルの駆動回路は上記課題を解決するために、基板上に、画素電極、該画素電極をスイッチング制御するスイッチング素子及び前記画素電極に前記スイッチング素子を介して画像信号を供給するためのデータ線を備えた電気光学パネルを駆動する電気光学パネルの駆動回路であって、前記基板上に形成されており、第１クロック信号及び該第１クロック信号と位相が異なる第２クロック信号の間の位相差を補正する位相差補正回路と、前記位相差が補正された第１及び第２クロック信号に基づいて前記データ線を駆動するデータ線駆動回路とを備えており、前記位相差補正回路は、少なくとも二つの回路部分に分断して形成されており、該少なくとも二つの回路部分は、前記基板上において前記画素電極が平面配列されてなる画像表示領域の辺に沿って該画像表示領域外の周辺領域に配列されている。
【００１０】
本発明の第１の電気光学パネルの駆動回路によれば、その動作時には、データ線駆動回路から出力されるサンプリングパルスに応じて、サンプリング回路で画像信号をサンプリングする。これにより、データ線に対して、サンプリングした画像信号を供給する。すると、電気光学パネル内では、データ線を介して供給される画像信号を、例えば別途走査線を介して供給される走査信号に応じて、薄膜トランジスタ（Ｔｈｉｎ  Ｆｉｌｍ  Ｔｒａｎｓｉｓｔｏｒ；以下適宜、“ＴＦＴ”と称する）等からなるスイッチング素子を介して画素電極に供給する。これにより、アクティブマトリクス駆動による画像表示が可能となる。
【００１１】
そして、このような動作中、位相差補正回路によって、データ線駆動回路に入力される前の第１クロック信号と、例えばその反転クロック信号である第２クロック信号との間の位相差は、補正される。従って、想定された位相差（例えば、１８０度の位相差）に極めて近い理想状態にある第１及び第２クロック信号をデータ線駆動回路に入力させることが可能となり、これによって、データ線駆動回路における駆動動作を高精度で行うことが可能とされる。
【００１２】
ここで特に、位相差補正回路は、少なくとも二つの回路部分に分断して形成されている。しかも、該少なくとも二つの回路部分は、基板上において通常矩形である画像表示領域の辺に沿って周辺領域に配列されている。例えば、外部回路入力端子が配列された素子基板の一辺に近い画像表示領域の一辺に沿って、少なくとも二つの回路部分は、配列される。従って、従来の如く、一つの位相差補正回路が、周辺領域内の所定位置に配置されており、ほぼ一箇所或いは一領域から発熱を行なう場合と比較して、少なくとも二つの回路部分に分断され且つ画像表示領域の辺に沿って配列されている分だけ、発熱が広い領域で行われる。このため、本発明によれば、発熱に伴う局所的な温度上昇によって表示コントラストが他所と比べて異なる事態が発生するのを、分断された回路部分の個数や、画像表示領域の辺に対する位相補正回路の長さに応じて効果的に低減或いは防止できる。これにより、画像表示領域内にコントラスト斑が発生することを効果的に防止可能となり、高品位の画像表示が可能となる。前述した従来の技術の如く、位相差補正回路が配置された画像表示領域の角付近で、コントラスト斑が発生してしまうことは殆ど又は全く無くなる。
【００１３】
逆に言えば、位相差補正回路を構成するインバータ回路等において、仮に位相差の補正量に応じて大きな電流が流れて、これにより大量の発熱が行われたとしても、上述した位相差補正回路に係る構成によって、画像表示に対する影響が殆ど又は実用上全く表面化しないようにでき、実用上大変便利である。
【００１４】
以上の結果、本発明の第１の電気光学パネルの駆動回路によれば、電気光学パネルの駆動回路内に設けられた位相差補正回路で発生する熱による画質に対する悪影響を低減可能である。
【００１５】
本発明の第１の電気光学パネルの駆動回路の一態様では、前記データ線駆動回路は、前記第１及び第２クロック信号のクロック周期に応じて、前記画像信号をサンプリングして前記データ線に供給するタイミングを規定するサンプリングパルスとして、転送信号を順次出力する複数のシフトレジスタ段を含んでなるシフトレジスタ回路を有する。
【００１６】
この態様によれば、その動作時には、シフトレジスタ回路に含まれる複数のシフトレジスタ段によって、第１及び第２クロック信号のクロック周期に応じて、転送信号がサンプリングパルスとして順次出力される。
【００１７】
この態様では、前記基板上に、前記サンプリングパルスに応じて前記画像信号をサンプリングして前記データ線に供給するサンプリング回路を更に備えてもよい。
【００１８】
このように構成すれば、シフトレジスタ回路から順次出力されるサンプリングパルスに応じて、サンプリング回路による画像信号のサンプリングが行われる。
【００１９】
上述したシフトレジスタ回路に係る態様では、前記複数のシフトレジスタ段は、少なくとも一つのシフトレジスタ段を夫々含む複数のブロックに分断して形成されており、該複数のブロックは、前記辺に沿って配列されており、前記少なくとも二つの回路部分は、前記複数のブロックに対応して複数設けられているように構成してもよい。
【００２０】
このように構成すれば、複数のシフトレジスタ段は、少なくとも一つのシフトレジスタ段を夫々含む複数のブロックに分断して形成されている。このようなブロックは、例えば、シフトレジスタ段を２個、４個、６個、８個、１２個  ・・・等ずつ含んでなる。因みに、各ブロックが、シフトレジスタ段を６個ずつ含む場合には、シフトレジスタ段の総数を６で割った数の回路部分に、位相差補正回路は分断されることになる。そして、このような複数のブロックは、画像表示領域の辺に沿って配列されており、少なくとも二つの回路部分は、複数のブロックに対応して複数設けられているので、複数のブロックの配列状況に対応して辺に沿って均等化された発熱が起こる。このため、発熱に伴う局所的な温度上昇によって表示コントラストが他所と比べて異なる事態が発生するのを、効果的に低減或いは防止できる。
【００２１】
或いは上述したシフトレジスタ回路に係る態様では、前記複数のシフトレジスタ段は、前記辺に沿って配列されており、前記少なくとも二つの回路部分は、前記複数のシフトレジスタ段に個々に対応して複数設けられているように構成してもよい。
【００２２】
このように構成すれば、少なくとも二つの回路部分は、複数のシフトレジスタ段の個々に対応して複数設けられている。このようなシフトレジスタ段は、例えば、パラレル−シリアル展開において同時に駆動される複数のデータ線の束毎に設けられる。例えば、６本同時駆動、１２本同時駆動、２４本同時駆動等のデータ線の束毎にシフトレジスタ段は、設けられる。因みに、６本同時駆動であれば、データ線の総数を６で割った数のシフトレジスタ段が存在し、これと同数の回路部分に、位相差補正回路は分断されることになる。従って、複数のシフトレジスタ段の配列状況に対応して辺に沿って均等化された発熱が起こる。このため、発熱に伴う局所的な温度上昇によって表示コントラストが他所と比べて異なる事態が発生するのを、効果的に低減或いは防止できる。
【００２３】
本発明の第１の電気光学パネルの駆動回路の他の態様では、前記少なくとも二つの回路部分は、前記辺の中央に対して対称な位置に配置された二つの回路部分からなる。
【００２４】
この態様によれば、少なくとも二つの回路部分は、画像表示領域の辺の中央に対して対称な位置に配置されているので、当該辺に対して、その中央を中心として左右対称或いは上下対称に均等化された発熱が起こる。このため、発熱に伴う局所的な温度上昇によって表示コントラストが左右方向或いは上下方向で異なる事態が発生するのを、効果的に低減或いは防止できる。
【００２５】
この態様では、前記二つの回路部分は、前記辺の両端に配置されてもよい。
【００２６】
このように構成すれば、当該回路部分からの発熱を、画像表示領域における左右両方の角付近で或いは上下両方の角付近で起こさせることによって、コントラストの局所的異常個所が一層目立たなくなる。
【００２７】
本発明の第１の電気光学パネルの駆動回路の他の態様では、前記基板上に形成されており、前記位相差補正回路における前記第１及び第２クロック信号を入力するための、前記位相差補正回路に一端が接続された信号配線と、前記基板上に形成されており、前記信号配線の他端に接続された外部回路接続用端子とを更に備えており、前記位相差補正回路、前記信号配線及び前記外部回路接続用端子は、前記位相差補正回路から前記外部回路接続用端子に至る距離が、１０ｍｍ以内となるように平面配置されており、前記外部回路接続用端子が、前記位相差補正回路からの熱を、前記信号配線を介して放熱する放熱経路として機能する。
【００２８】
この態様によれば、位相差補正回路で発生した熱は、信号配線を放熱経路として外部回路接続用端子へと導かれる。従って、例えば、外部回路接続用端子を金属製の比較的広面積のパッド等として構築することで、放熱経路としての信号配線及び外部回路接続用端子を介して効率的な放熱が可能となる。しかも、位相差補正回路から外部回路接続用端子に至る距離が、１０ｍｍ以内という比較的短い距離に設定されているため、位相差補正回路で発生する熱の放熱経路として、外部回路接続用端子に至るものを、支配的にできる。これらの結果、位相差補正回路における発熱に伴う局所的な温度上昇によって表示コントラスト斑が発生する事態を、効果的に低減或いは防止できる。
【００２９】
この態様では、前記外部回路接続用端子には、前記信号配線を介して前記位相差補正回路からの熱が伝導されると共に放熱手段として機能するフレキシブルコネクタが接続されているように構成してもよい。
【００３０】
このように構成すれば、フレキシブルコネクタが放熱フィン等の放熱手段としても機能するので、放熱経路としての信号配線及び外部回路接続用端子を介して効率的な放熱が可能となる。これらの結果、発熱に伴う局所的な温度上昇によって表示コントラスト斑が発生するのを、効果的に低減或いは防止できる。
【００３１】
上述した外部回路接続用端子に係る態様では、前記距離は、２ｍｍ以内であるように構成してもよい。
【００３２】
このように構成すれば、位相差補正回路から外部回路接続用端子に至る距離が、２ｍｍ以内という非常に短い距離に設定されているため、位相差補正回路で発生する熱の放熱経路として、外部回路接続用端子に至るものを、より一層支配的にできる。
【００３３】
本発明の第１の電気光学パネルの駆動回路の他の態様では、位相差補正回路の少なくとも二つの回路部分は、同一のクロック信号配線に並列に接続されている。従って、位相差補正回路が複数の回路部分に分断して形成されているものの、これらの回路部分間で、位相や波長が同じでないクロック信号や反転クロック信号が入力される事態を未然防止できる。
【００３４】
但し、第１クロック信号が供給される複数のクロック信号線が配線されていてもよいし、第２クロック信号が供給される複数のクロック信号線が配線されていてもよい。
【００３５】
本発明の第２の電気光学パネルの駆動回路は上記課題を解決するために、基板上に、画素電極、該画素電極をスイッチング制御するスイッチング素子及び前記画素電極に前記スイッチング素子を介して画像信号を供給するためのデータ線を備えた電気光学パネルを駆動する電気光学パネルの駆動回路であって、前記基板上に形成されており、第１クロック信号及び該第１クロック信号と位相が異なる第２クロック信号の間の位相差を補正する位相差補正回路と、前記位相差が補正された第１及び第２クロック信号に基づいて前記データ線を駆動するデータ線駆動回路と、前記基板上に形成されており、前記位相差補正回路における前記第１及び第２クロック信号を入力するための、前記位相差補正回路に一端が接続された信号配線と、前記基板上に形成されており、前記信号配線の他端に接続された外部回路接続用端子と、前記外部回路接続用端子に接続されると共に前記位相差補正回路からの熱を前記信号配線及び前記外部回路接続用端子を介して放熱する放熱手段として機能するフレキシブルコネクタとを備える。
【００３６】
本発明の第２の電気光学パネルの駆動回路によれば、その動作時には、上述した第１の電気光学パネルの駆動回路の場合と同様に、アクティブマトリクス駆動による画像表示が可能となる。そして、このような動作中、上述した第１の電気光学パネルの駆動回路の場合と同様に、位相差の補正を行うことによって、データ線駆動回路における駆動動作を高精度で行うことが可能とされる。
【００３７】
ここで特に、位相差補正回路で発生した熱は、信号配線及び外部回路接続用端子を介してフレキシブルコネクタへと導かれる。そして、フレキシブルコネクタが放熱フィン等の放熱手段としても機能するので、放熱経路としての信号配線、外部回路接続用端子及びフレキシブルコネクタを介して効率的な放熱が可能となる。この際、フレキシブルコネクタは、違方性導電膜を有する一般的な型のものであれば、その長手方向に沿った放熱経路として本質的に優れている。これらの結果、発熱に伴う局所的な温度上昇によって表示コントラスト斑が発生するのを、効果的に低減或いは防止できる。前述した従来の技術の如く、位相差補正回路が配置された画像表示領域の角付近で、コントラスト斑が発生してしまうことは殆ど又は全く無くなる。
【００３８】
逆に言えば、位相差補正回路を構成するインバータ回路等において、仮に位相差の補正量に応じて大きな電流が流れて、これにより大量の発熱が行われたとしても、上述した外部回路接続用端子、フレキシブルコネクタ等に係る構成によって、画像表示に対する影響が殆ど又は実用上全く表面化しないようにでき、実用上大変便利である。
【００３９】
以上の結果、本発明の第２の電気光学パネルの駆動回路によれば、電気光学パネルの駆動回路内に設けられた位相差補正回路で発生する熱による画質に対する悪影響を低減可能である
加えて、第２の電気光学パネルの駆動回路においても、位相差補正回路から外部回路接続用端子に至る距離が、１０ｍｍ以内という比較的短い距離に設定されているとよい。このように構成すれば、位相差補正回路で発生する熱の放熱経路として、外部回路接続用端子を介してフレキシブルコネクタに至るものを、支配的にできる。更に、この距離は、２ｍｍ以内であるように構成してもよい。このように構成すれば、位相差補正回路で発生する熱の放熱経路として、外部回路接続用端子を介してフレキシブルコネクタへ至るものを、より一層支配的にできる。
【００４０】
本発明の電気光学装置は上記課題を解決するために、上述した本発明の第１又は第２の電気光学パネルの駆動回路（但し、その各種態様を含む）及び前記電気光学パネルを備える。
【００４１】
本発明の電気光学装置によれば、上述した本発明の第１又は第２の電気光学パネルの駆動回路を備えるので、位相差補正回路の発熱による悪影響が低減されており、高品位の画像表示が可能となる。
【００４２】
本発明の電子機器は上記課題を解決するために、上述した本発明の電気光学装置（但し、その各種態様も含む）を具備してなる。
【００４３】
本発明の電子機器は、上述した本発明の電気光学装置を具備してなるので、高品位の画像表示が可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置を実現することも可能である。
【００４４】
本発明のこのような作用及び他の利得は次に説明する実施の形態から明らかにされる。
【００４５】
【発明の実施の形態】
以下、本発明の実施形態を図面に基づいて説明する。以下の実施形態は、本発明の電気光学装置をＴＦＴアクティブマトリクス駆動方式の液晶装置に適用したものである。
【００４６】
（第１実施形態）
本発明の電気光学装置に係る第１実施形態について、図１から図８を参照して説明する。
【００４７】
先ず、本実施形態の全体構成について図１を参照して説明する。ここに図１は本実施形態に係る液晶装置の全体構成を示すブロック図である。
【００４８】
図１に示すように、液晶装置は、液晶パネル１００、タイミングジェネレータ２００、及び画像信号処理回路３００を備える。
【００４９】
液晶パネル１００は、スイッチング素子としてＴＦＴ１１６を形成した素子基板と、対向基板とを互いに電極形成面を対向させて、かつ、一定の間隙を保って貼付し、この間隙に液晶が挟持されている。タイミングジェネレータ２００は、各部で使用される各種タイミング信号を出力するものであり、タイミングジェネレータ２００の一部であるタイミング信号出力手段により、最小単位のクロックであり各画素を走査するドットクロックが作成され、ドットクロックに基づいて特に本実施形態に係る転送クロックＣＬＸが作成される。画像信号処理回路３００は、１系統の画像信号ＶＩＤが入力されると、これを６相の画像信号ＶＩＤ１〜ＶＩＤ６にシリアル−パラレル変換して出力するものである。
【００５０】
本実施形態では特に、液晶パネル１００は、駆動回路内蔵型であり、その素子基板上に、駆動回路１２０として、走査線駆動回路１３０、サンプリング回路１４０及びデータ線駆動回路１５０を含み、更に、クロック信号位相差補正回路５００を備えて構成されている。
【００５１】
図１において、クロック信号位相差補正回路５００は、ブロック図の一部として一ブロックとして図式的に示されているが、その実際の素子基板上のレイアウト及び形状並びにその発熱に係る作用効果については、後で詳述する。
【００５２】
液晶パネル１００は更に、その素子基板の中央を占める画像表示領域１１０に、縦横に配線されたデータ線１１４及び走査線１１２を備え、それらの交点に対応する各画素に、マトリクス状に配列された画素電極１１８及び画素電極１１８をスイッチング制御するためのＴＦＴ１１６を備える。そして、画像信号供給線ＶＩＤ１〜６に供給される画像信号を、サンプリング回路１４０によって、データ線駆動回路１５０から供給されるサンプリング信号Ｓ１、Ｓ２、  ・・・に応じてサンプリングして、データ線１１４に供給するように構成されている。
【００５３】
ＴＦＴ１１６のソース電極には、このように画像信号が供給されるデータ線１１４が電気的に接続されている一方、ＴＦＴ１１６のゲート電極には、走査信号が供給される走査線１１２が電気的に接続されるとともに、ＴＦＴ１１６のドレイン電極には、画素電極１１８が接続されている。そして、各画素は、画素電極１１８と、対向基板に形成された共通電極と、これら両電極間に挟持された液晶とによって構成される結果、走査線１１２とデータ線１１４との各交点に対応して、マトリクス状に配列されることになる。
【００５４】
尚、保持された画像信号がリークするのを防ぐために、蓄積容量（図示省略）が、画素電極１１８と対向電極との間に形成される液晶容量と並列に付加されてもよい。例えば、画素電極１１８の電圧は、ソース電圧が印加された時間よりも３桁も長い時間だけ蓄積容量により保持されるので、保持特性が改善される結果、高コントラスト比が実現されることとなる。
【００５５】
駆動回路１２０は、画像表示領域１１０の周辺に位置する周辺領域に、走査線駆動回路１３０、サンプリング回路１４０、及びデータ線駆動回路１５０を備えて構成されている。これらの回路の能動素子は、いずれもｐチャネル型ＴＦＴおよびｎチャネル型ＴＦＴの組み合わせにより形成可能であるから、画素をスイッチングするＴＦＴ１１６と共通の製造プロセスで形成すると、集積化や、製造コスト、素子の均一性などの点において有利となる。
【００５６】
ここで、駆動回路１２０のうち、走査線駆動回路１３０は、シフトレジスタを有し、タイミングジェネレータ２００からのクロック信号ＣＬＹや、その反転クロック信号ＣＬＹＩＮＶ、転送開始パルスＤＹ等に基づいて、走査信号を各走査線１１２に対して順次出力するものである。
【００５７】
次に、図２及び図３を参照して、本実施形態のサンプリング回路１４０及びデータ線駆動回路１５０の構成及び動作について説明する。ここに図２は、本実施形態に係るサンプリング回路及びデータ線駆動回路の詳細を示すブロック図であり、図３は、それらに係る各種信号の経時的変化を示すタイミングチャートである。
【００５８】
図２に示すように、本実施形態においては、データ線駆動回路１５０は、データ線１１４を双方向から順次駆動可能とするための双方向シフトレジスタ１６０を備える。シフト方向は方向制御信号Ｄにより決定される。該方向指示信号Ｄがハイレベルの場合、シフトレジスタ１６０には左側から転送開始信号ＳＰが入力され、左から右へ順次シフトされて、シフトレジスタ１６０の各出力段から転送信号ＳＲ１〜ＳＲｎとして出力される。尚、反転方向制御信号ＤＩＮＶが正の場合は、シフトレジスタ１６０の右方向からＳＰが入力され、右から左に順次シフトされることになる。ＳＰが入力され、右から左に順次シフトされることになる。
【００５９】
シフトレジスタ１６０から出力された転送信号ＳＲ１〜ＳＲｎは、イネーブル回路１７０ａ及び１７０ｂに供給される。イネーブル回路１７０ａ及び１７０ｂのもう一方の入力にはイネーブル信号ＥＮＢ１及びＥＮＢ２が夫々入力される。これにより転送信号ＳＲ１〜ＳＲｎが出力されており且つイネーブル信号ＥＮＢ１又はＥＮＢ２が出力されているときにのみ、データ線１１４が駆動される。即ち、イネーブル信号ＥＮＢ１又はＥＮＢ２により、画像信号ＶＩＤが安定出力時にデータ線１１４を活性状態にするように制御している。
【００６０】
転送信号ＳＲ１〜ＳＲｎは、イネーブル回路１７０ａ，１７０ｂによりイネーブル信号との論理積がとられた後、本発明に係る「サンプリングパルス」の一例であるデータ線駆動信号或いはサンプリング回路駆動信号（以下「サンプリング信号」と称する）Ｓ１〜Ｓｎとしてサンプリング回路１４０に供給される。サンプリング回路１４０は、サンプリング用の、即ちサンプリングスイッチとしての片チャネル型ＴＦＴ１４１を複数備える。６本のデータ線１１４を１群とし、これらの群に属するデータ線１１４に対し、サンプリング信号Ｓ１〜Ｓｎに従って６相展開された画像信号ＶＩＤ１〜ＶＩＤ６を夫々サンプリングして各データ線１１４に順次供給するものである。詳細には、サンプリング回路１４０には、前記ＴＦＴからなるスイッチ１４１が各データ線１１４の一端に設けられるとともに、各スイッチ１４１のソース電極は、画像信号ＶＩＤ１〜ＶＩＤ６のいずれかが供給される信号線に接続され、ドレイン電極は一本のデータ線１１４に接続されている。また、各スイッチ１４１のゲート電極は、その群に対応してサンプリング信号Ｓ１〜Ｓｎが供給される信号線のいずれかに接続されている。本実施形態においては、画像信号ＶＩＤ１〜ＶＩＤ６は同時に供給されるので、サンプリング信号Ｓ１により同時にサンプリングされることになる。
【００６１】
尚、画像信号ＶＩＤ１〜ＶＩＤ６が順次シフトされたタイミングで供給される場合には、サンプリング信号Ｓ１、Ｓ２、・・により順次サンプリングされることになる。
【００６２】
図３のタイミングチャートに示すように、シフトレジスタ１６０に入力された転送開始信号ＳＰは、データ線転送クロックＣＬＸ（以下単に「転送クロックＣＬＸ」と称する）及びその反転クロック信号であるＣＬＸＩＮＶにより転送クロックＣＬＸの半周期単位でシフトされて、シフトレジスタ１６０の各出力段から転送クロックの半周期分ずつ遅れたデータ線転送信号（以下「転送信号」と称する）ＳＲ１〜ＳＲｎが順次出力される。
【００６３】
転送信号ＳＲ１〜ＳＲｎは、データ線１１４の駆動期間を画像信号ＶＩＤ１〜ＶＩＤ６の安定出力期間と同期させるために、イネーブル回路１７０ａ，１７０ｂによりイネーブル信号ＥＮＢとの論理積がとられ、サンプリング信号Ｓ１〜Ｓｎとして出力される。これにより、画像信号とサンプリング信号（例えばＶＩＤ１〜ＶＩＤ６とＳ１）との同期がとれて正しい表示が可能となる。
【００６４】
尚、本実施形態では、シフトレジスタ１６０の偶数段または奇数段に応じてＥＮＢ１またはＥＮＢ２を供給するよう構成しているが、一つのＥＮＢ信号でサンプリングするようにしてもよい。或いは、シフトレジスタ１６０の各段ＳＲＳ（ｉ）（但し、ｉ＝１、２、３、  ・・・ｎ）から出力される転送信号ＳＲ１〜ＳＲｎの夫々を複数に分割して並列に出力し、その数に応じた複数のイネーブル信号と論理積の取られた複数のサンプリング信号を出力するよう構成してもよい。即ち、シフトレジスタ１６０の格段ＳＲＳ（ｉ）の夫々が、複数のサンプリング回路群を制御することになり、シフトレジスタ１６０の段数を減らすことが可能である。
【００６５】
このように本発明に係る「シフトレジスタ段」は、本実施形態では、図２に示した如きシフトレジスタ１６０の段ＳＲＳ（ｉ）に相当している。
【００６６】
次に本実施形態に係るクロック位相差補正回路の構成及び動作について、図１に加えて、図４から図７を参照して説明する。ここに図４は、本実施形態に係るクロック位相差補正回路の構成を示す回路図であり、図５は、それに係る各種信号の経時的変化を示すタイミングチャートである。図６は、本実施形態に係るクロック位相差補正回路における各信号経路の負荷容量を説明するための回路図であり、図７は、本実施形態に係るクロック位相差補正回路において、第２バッファー回路を多段のインバータ回路で構成した場合の回路図である。
【００６７】
本実施形態の液晶装置では特に、図１に示すように、クロック信号及び逆位相クロック信号を供給する入力部であるＣＬＸ及びＣＬＸＩＮＶとデータ線駆動回路１５０のシフトレジスタを有する駆動手段との間に、双安定回路を有するクロック位相差補正回路５００が設けられている。クロック位相差補正回路５００は、外部の制御回路から供給されるクロック信号ＣＬＸ及び逆位相クロック信号ＣＬＸＩＮＶの位相を、当該クロック位相差補正回路５００によって合わせ、その後にデータ線駆動回路１５０に供給するように構成されている。従って、データ線駆動回路１５０及び走査線駆動回路１３０の誤動作を生じさせることなく各画素への良好な画像信号の書き込み動作が行われる。
【００６８】
図４に示すように、本実施形態のクロック信号位相差補正回路５００は、例えば、第１バッファー回路５０１と、双安定回路５０２と、第２バッファー回路５０３とから構成されており、各回路はインバータ５０１ａ，５０１ｂ，５０２ａ，５０２ｂ，５０３ａ及び５０３ｂにより構成されている。
【００６９】
図５に示すように、クロック信号ＣＬが逆位相クロック信号ＣＬＩＮＶに対し、Ｒ１及びＲ１の地点で期間Ｔだけ位相差が生じたとしても、本実施形態における双安定回路５０２により、位相差が補正され、当該双安定回路５０２から出力した地点Ｒ３及びＲ３’では位相差が殆ど或いは実践上全く発生しない。
【００７０】
クロック信号位相差補正回路５００では、インバータ５０１ａ及び５０１ｂから構成されるバッファー回路５０１において、クロック信号ＣＬと逆位相クロック信号ＣＬＩＮＶを供給する回路におけるトランジスタの駆動能力を補うと共に、双安定回路５０２の一方のインバータ５０２ａの出力を他方のインバータ５０２ｂの入力に、また他方のインバータ５０２ｂの出力を一方のインバータ５０２ａの入力に夫々供給することによって、夫々のインバータ５０２ａ及び５０２ｂの入力信号に正帰還をかけて位相差を無くす構成となっている。
【００７１】
また、クロック信号位相差補正回路５００においては、双安定回路５０２の後に、第２バッファー回路５０３を設けており、この第２バッファー回路５０３の働きにより、双安定回路５０２の駆動能力の低下を防止している。即ち、双安定回路５０２からクロック信号線を引き回すことにより各駆動回路にクロック信号ＣＬと逆位相クロック信号ＣＬＩＮＶを供給した場合には、クロック信号線の容量により、クロック信号ＣＬと逆位相クロック信号ＣＬＩＮＶが劣化することが考えられるが、本実施の形態によれば、双安定回路５０２の駆動能力の低下は第２バッファー回路５０３により防止され、クロック信号ＣＬと逆位相クロック信号ＣＬＩＮＶを良好に各駆動回路に供給することが可能である。
【００７２】
図６に示すように、クロック位相差補正回路５００が上述の如き構成を採用する場合には、第２バッファー回路５０３のインバータ回路５０３ａ及び５０３ｂのオン抵抗は、できる限り低い値に設定するのが好ましい。なぜならば、最終段のインバータ回路５０３ａ，５０３ｂのオン抵抗が高いと、出力信号がなまり、双方向シフトレジスタ１６０のクロックドインバータに印加される信号の電圧が低下して、双方向シフトレジスタ１６０を駆動できなくなるためである。従って、第２バッファー回路５０３に電気的に接続されたクロック信号線の負荷と駆動周波数に対して、インバータ回路５０３ａ，５０３ｂが十分な駆動能力を有するように設計する必要がある。
【００７３】
また、図６に示すインバータＡ、Ｂ及びＣ若しくはインバータＡ’、Ｂ’及びＣ’により構成される信号伝送経路の容量負荷と、インバータＡ及びＣ’若しくはインバータＡ’及びＣにより構成される信号伝送経路の容量負荷とが同じになるように設計することが好ましい。従って、インバータＡ，Ａ’，Ｂ及びＢ’のサイズはほぼ同じに設計することが好ましい。これは、どちらかの経路の電位が支配的にならないようにして、確実に位相差補正を行えるようにするためである。
【００７４】
また、クロック信号位相差補正回路５００の第２バッファー回路５０３を構成するインバータ回路５０３ａ及び５０３ｂは１段でもよいし、クロック信号線及び逆位相クロック信号線に付加される容量が大きい場合には、例えば図７に示すように、何段かインバータ回路をカスケード接続した後、クロック信号線及び逆位相クロック信号線に接続するように構成してもよい。この際、カスケード接続されるインバータ回路は、前段のインバータ回路のサイズに対して約２〜４倍の大きさになるように設計する。ＣＭＯＳのカスケードの場合に、自段のインバータ回路に対して電気的に接続される次段のインバータ回路のサイズを約ｅ（２．７２）倍になるようにすると、第２バッファー回路５０３の総遅延時間を最小にすることができる（ｅ倍の定理）。例えば、図７の例では、インバータＤ（Ｄ’）はインバータＣ（Ｃ’）×ｅ（２．７２）倍のサイズに形成するとよい。また、インバータＥ（Ｅ’）はインバータＤ（Ｄ’）×ｅ（２．７２）倍のサイズに形成するとよい。更に、この時、最終段のインバータＥ（Ｅ’）のオン抵抗はできるだけ小さくなるように形成するのが好ましい。
【００７５】
以上に説明したように本実施形態のクロック位相差補正回路５００は、クロック信号ＣＬＸ及び逆位相クロック信号ＣＬＸＩＮＶの位相を合わせるために、双安定回路５０２においてクロック信号線を引き回すことにより入力信号に正帰還をかけるように構成され、更には、クロック信号線の容量と駆動周波数に応じて駆動能力を補うために、多段にインバータを接続する構成をとっている。従って、当該クロック位相差補正回路５００においては比較的大きな消費電力を擁するため、そのエネルギーが熱として発散される。そこで、本実施形態では、このようなクロック位相差補正回路５００からの発熱に起因した画像表示領域１１０内の温度差によるコントラスト斑等を防止するため、適度に発熱源を平面的に分散する構成及び配置方法が採用されている。
【００７６】
以下、このようなクロック位相差補正回路５００の構成及び配置方法について図８を参照して説明する。ここに、図８は、液晶パネル１００内におけるクロック位相差補正回路５００の配置例を示すブロック図である。尚、図８は液晶パネル１００内における各主要構成要素間の接続方法及び相対位置関係のみを示すものであり、各構成要素のサイズ及び各構成要素間の距離の関係の詳細や以下の説明に関係のないその他信号線等については図示を省略する。
【００７７】
図８に示すように本実施形態では、クロック位相差補正回路５００は、データ線駆動回路１５０の前段にて、同一クロック信号線上に２個並列に設けられている。即ち、クロック位相差補正回路５００は、図中、“位相差補正回路Ｌ”及び“位相差補正回路Ｒ”として示されているように、素子基板上の周辺領域内において、画像表示領域１１０の下辺の両端付近に配置されている。このとき、左右に配置された夫々のクロック位相差調整回路５００から出力されるクロック信号線（ＣＬＸ、ＣＬＸＩＮＶ）には、双方向シフトレジスタ１６０の各段ＳＲＳ（ｉ）が並列に接続されている。
【００７８】
このようにクロック位相差補正回路５００を２個左右に分割して配置することにより、発熱源が画像表示領域１００に対して分散して配置されることとなる。よって、画像表示領域１１０内の基板表面に沿った水平方向の温度差（温度分布勾配）が低減され、それに起因するコントラスト斑を抑制することが可能となる。
【００７９】
より具体的には、分割されたクロック位相差補正回路５００夫々に接続される双方向シフトレジスタ１６０については、図８のように、その段数において左右等しくなるよう接続されている。また、２個のクロック位相差補正回路５００は、双方向シフトレジスタ１６０の各段ＳＲＳ（ｉ）に対してその並びと同一方向（水平方向）に２個線形に配列され、さらに画像表示領域１１０の中心線に対して線対称に配列されている。このように配列されることにより、画像表示領域１１０に対して発熱源が局在化することを防止し、当該画像表示領域１１０における水平方向の温度差（温度分布勾配）を低減することが可能となる。
【００８０】
更には、夫々のクロック位相差補正回路５００が駆動する双方向シフトレジスタ１６０の段数は左右で半分となり、また、個々のクロック位相差補正回路５００と双方向シフトレジスタ１６０との間のクロック信号線の全長が左右においてほぼ等しくなることにより、クロック信号線の容量負荷が均等に半分に分割される。このため、左右個々のクロック位相差補正回路５００における駆動能力を等しく設定することができる。よって、１個のクロック位相差補正回路５００によって双方向シフトレジスタ１６０の全段ＳＲＳ（ｉ）を駆動する場合と比較して、個々のクロック位相差補正回路５００は、そのサイズにおいて半分でよく、個々の消費電力及び発熱量も半分に抑えることが可能となる。
【００８１】
以上のように、第１実施形態によれば、クロック位相差補正回路５００の分割配置により、個々の発熱源の発熱量を低減させると共に画像表示領域１１０における水平方向の温度差（温度分布勾配）を低減させることによって、それに起因するコントラスト斑を防止することができる。
【００８２】
（第２実施形態）
本発明の電気光学装置の第２実施形態について、図９を参照して説明する。
第２実施形態は、上述の第１実施形態と比べて、液晶パネル１００内におけるクロック位相差補正回路５００の配置数及び配置方法が異なり、その他の構成及び動作については同様である。このため以下では、第１実施形態と異なる構成について説明する。ここに、図９は液晶パネル１００内における複数のクロック位相差補正回路５００の配置例を示すブロック図である。尚、図９は当該液晶パネル１００内における各主要構成要素間の接続方法及び相対位置関係のみを示すものであり、各構成要素のサイズ及び各構成要素間の距離の関係の詳細や以下の説明に関係のないその他信号線等については、図８の場合と同様に図示を省略する。
【００８３】
図９に示すように、本実施形態では、クロック位相差補正回路５００が、第１実施形態と比較してさらに複数に分割されて同一クロック信号線上に並列に設けられている。クロック位相差補正回路５００は、双方向シフトレジスタ１６０のｎ段に対して、ｎ個に分割されており、双方向シフトレジスタ１６０の段毎に１個のクロック位相差補正回路５００が接続されている。
【００８４】
このようにクロック位相差補正回路５００をさらに複数に分割して配置することにより、クロック位相差補正回路５００の１個あたりの発熱量は分割数に比例して小さくなり、第１実施形態の場合と比較すると発熱源がさらに細かく分散して分布することとなる。よって、画像表示領域１１０内の水平方向の温度分布が均一になり、大きな発熱源が局在化することなく、温度差に起因するコントラスト斑を抑制することが一層容易となる。
【００８５】
より具体的には、分割された個々のクロック位相差補正回路５００に接続される双方向シフトレジスタ１６０については、その段数が等しくなるよう接続されている。また、分割された複数のクロック位相差補正回路５００は、双方向シフトレジスタ１６０各段に対してその並びと同一方向（水平方向）に複数線形に配列され、さらに画像表示領域１１０の中心線に対して線対称に配列されている。このように配列されることにより、画像表示領域１１０に対して発熱源が局在化することを防止し、画像表示領域１１０における水平方向の温度差（温度分布勾配及びばらつき）を低減することが可能となる。さらには、夫々のクロック位相差補正回路５００が駆動する双方向シフトレジスタ１６０の段数はすべて等しく、対応する双方向シフトレジスタ１６０との間のクロック信号線の長さが個々のクロック位相差補正回路においてほぼ等しくなることにより、クロック信号線の容量負荷が均等に分割されるため、個々のクロック位相差補正回路５００における駆動能力を等しく設定することができる。よって、１個のクロック位相差補正回路５００によって双方向シフトレジスタ１６０の全段を駆動する場合と比較して、個々のクロック位相差補正回路５００は、そのサイズにおいて分割数に比例して小さくすることができる。個々の消費電力及び発熱量も、１／ｎに抑えることが可能となる。
【００８６】
以上のように、第２実施形態によれば、クロック位相差補正回路５００のさらに複数への分割配置により、個々の発熱源の発熱量及び画像表示領域１１０における水平方向の温度差（温度分布勾配）を低減させることによって、それに起因するコントラスト斑を防止することが可能となる。
【００８７】
（第３実施形態）
本発明の電気光学装置の第３実施形態について、図１０を参照して説明する。第３実施形態は、上述の第１実施形態と比べて、液晶パネル１００内におけるクロック位相差補正回路５００の配置数及び配置方法が異なり、その他の構成及び動作については同様である。このため以下では、第１実施形態と異なる構成について説明する。ここに、図１０は液晶パネル１００内における複数のクロック位相差補正回路５００の配置例を示すブロック図である。尚、図１０は当該液晶パネル１００内における各主要構成要素間の接続方法及び相対位置関係のみを示すものであり、各構成要素のサイズ及び各構成要素間の距離の関係の詳細や以下の説明に関係のないその他信号線等については、図８の場合と同様に図示を省略する。
【００８８】
図１０に示すように、本実施形態では、クロック位相差補正回路５００が、第１実施形態と比較してさらに複数に分割されて同一クロック信号線上に並列に設けられている。クロック位相差補正回路５００は、双方向シフトレジスタ１６０のｎ段に対して、ｎ／２個に分割され、同一クロック線上に並列に設けられている。１個のクロック位相差補正回路５００に対して、双方向シフトレジスタ１６０の２段は、並列に接続されている。
【００８９】
このようにクロック位相差補正回路５００をさらに複数に分割して配置することにより、クロック位相差補正回路５００の１個あたりの発熱量は分割数に比例して小さくなり、第１実施形態の場合と比較すると発熱源がさらに細かく分散して分布することとなる。よって、画像表示領域１１０内の水平方向の温度分布が均一になり、大きな発熱源が局在化することなく、温度差に起因するコントラスト斑を抑制することが一層容易となる。
【００９０】
より具体的には、第２実施形態の場合と同様に、画像表示領域１１０に対して発熱源が局在化することを防止し、画像表示領域１１０における水平方向の温度差（温度分布勾配及びばらつき）を低減することが可能となり、個々のクロック位相差補正回路５００における駆動能力を等しく設定することができる。よって、１個のクロック位相差補正回路５００によって双方向シフトレジスタ１６０の全段を駆動する場合と比較して、個々のクロック位相差補正回路５００は、そのサイズにおいて分割数に比例して小さくすることができる。そして、第２実施形態の場合と異なり、個々の消費電力及び発熱量も１／（ｎ／２）に抑えることが可能となる。
【００９１】
以上のように第３実施形態によれば、クロック位相差補正回路５００のさらに複数への分割配置により、個々の発熱源の発熱量及び画像表示領域１１０における水平方向の温度差（温度分布勾配）を低減させることによって、それに起因するコントラスト斑を防止することが可能となる。
【００９２】
（液晶装置の全体構成）
以上のように構成された本発明の第１実施形態及び第２実施形態における液晶装置の全体構成について図１１及び図１２を参照して説明する。ここに、図１１は、ＴＦＴアレイ基板１０をその上に形成された各構成要素と共に対向基板２０の側から見た平面図であり、図１２は、図１１のＨ−Ｈ’断面図である。
【００９３】
図１１及び図１２において、液晶装置用基板１の上には、複数の画素電極１１８により規定される画像表示領域（即ち、実際に液晶層５０の配向状態変化により画像が表示される液晶装置の領域）の周囲において両基板を貼り合わせて液晶層５０を包囲する光硬化性樹脂からなるシール材５２が、画像表示領域に沿って設けられている。そして、対向基板２上における画像表示領域とシール材５２との間には、遮光性の額縁遮光膜５３が設けられている。
【００９４】
額縁遮光膜５３は、後に画像表示領域に対応して開口が設けられた遮光性のケースに液晶装置用基板１０が入れられた場合に、当該画像表示領域が製造誤差等により当該ケースの開口の縁に隠れてしまわないように、即ち、例えば液晶装置用基板１０のケースに対する数百μｍ程度のずれを許容するように、画像表示領域の周囲に少なくとも５００μｍ以上の幅を持つ帯状の遮光性材料から形成されたものである。このような遮光性の額縁遮光膜５３は、例えば、Ｃｒ（クロム）やＮｉ（ニッケル）などの金属材料を用いたスパッタリング、フォトリソグラフィ及びエッチングにより対向基板２０に形成される。或いは、カーボンやＴｉ（チタン）をフォトレジストに分散した樹脂ブラックなどの材料から形成される。また、遮光性の額縁遮光膜５３やの遮光層２３を液晶装置用基板１上に形成しても良い。この様な構成を採れば、液晶装置用基板１と対向基板２の貼り合わせ精度を無視できるため、液晶装置の透過率がばらつかない利点がある。
【００９５】
画像表示領域１１０の左右２辺に沿った部分には、走査線駆動回路１３０が両側に設けられている。ここで、走査線１１２の駆動遅延が問題にならないような場合、走査線駆動回路１３０は走査線１１２に対して片側のみに形成しても良い。
【００９６】
シール材５２の外側の領域には、画像表示領域の下辺に沿ってデータ線駆動回路１５０及び外部からの信号入力等を行う外部回路接続用端子１０２が設けられており、画像表示領域の左右の２辺に沿って走査線駆動回路１３０が画像表示領域の両側に設けられている。ここで、データ駆動回路１５０を画像表示領域の上下の２辺に沿って両側に設けても良い。この際、例えば一方のデータ線駆動回路１５０には奇数列のデータ線を電気的に接続し、もう一方のデータ線駆動回路１５０には偶数列のデータ線を電気的に接続することで、上下から櫛歯状に駆動するようにしても良い。更に画像表示領域の上辺には、走査線駆動回路１３０に電源や駆動信号を供給するための複数の配線１０５が設けられている。また、対向基板２のコーナー部の少なくとも一箇所で、液晶装置用基板１と対向基板２との間で電気的導通をとるための上下導通材１０６が設けられている。そして、シール材５２とほぼ同じ輪郭を持つ対向基板２が当該シール材５２により液晶装置用基板１に固着されている。
【００９７】
また、上述した各実施の形態においては、データ線駆動回路１５０及び走査線駆動回路１３０に対して、クロック信号あるいは画像信号等を出力する外部制御回路を、液晶装置の外部に設けた場合について説明したが、本発明はこれに限られるものではなく、当該制御回路を液晶装置内に設けるようにしても良い。
【００９８】
特に、クロック信号については、クロック信号のみを外部制御回路から供給させ、液晶装置用基板上で逆位相クロック信号を生成する回路を設けるように構成しても良い。
【００９９】
（外部回路接続用端子及びフレキシブルコネクタに係る実施形態）
次に、本実施形態における図１１及び図１２に示した外部回路接続用端子１０２及びこれに接続されるフレキシブルコネクタの構成及び放熱効果について、図１３から図１４を参照して説明を加える。図１３は液晶装置全体及び液晶装置とフレキシブルコネクタ６００との接続状態を示した斜視図である。図１４は、クロック位相差補正回路５００の配置例を示す平面図であり、図１１のＡ部を拡大して示すものである。
【０１００】
図１３に示すように、外部回路接続用端子１０２には、フレキシブルコネクタ（ＦＰＣ）６００が、例えば異方性導電フィルム（ＡＣＦ）６１０等を介して接続され、外部からの信号が入力される。フレキシブルコネクタ６００は、絶縁材料の上に、引き出し配線として熱伝導性のよい例えば銅箔のような金属膜が広く積層されているため、放熱性がよく、さらには広い面積で外部回路接続用端子１０２と接しているため、液晶基板内、特には各回路部からの熱が放出されやすい構成となっている。ここで、先に述べたように、本発明の各実施形態におけるクロック位相差補正回路５００は、他のデータ線駆動回路等と比較して比較的高い消費電力を擁し、発熱が大きいため、これに起因した画像のコントラスト斑等の不具合を防止するため、熱を外部へ放出させ、クーリングを行なうことが効果的である。
【０１０１】
よって本発明では特に、クロック位相差補正回路５００を外部回路接続用端子１０２の近傍に設けている。
【０１０２】
ここで図１４に外部回路接続用端子１０２及びデータ線駆動回路１１０の周辺部におけるクロック位相差補正回路５００の配置例を示す。図１４−（ａ）は、図１１のＡ部を拡大して示し、先に述べた第１実施形態のように左右に分割して２個のクロック位相差補正回路５００を配置した例を示す。図１４−（ｂ）は、同様にＡ部を拡大し、先に述べた第２実施形態のように複数のクロック位相差補正回路をデータ線駆動回路に平行して線形に配置した例を示す。図１４−（ａ）又は（ｂ）に示すように、クロック位相差補正回路５００から外部回路接続用端子１０２に至る距離Ｌが１０ｍｍ以内になるように配置されている。このように配置されることにより、クロック位相差補正回路５００で発生した熱は、クロック信号配線１０３を放熱経路として外部回路接続用端子１０２へと導かれる。従って、外部回路接続用端子１０２は、例えば金属製の比較的広面積のパッド等により構成されているため、放熱経路としてのクロック信号配線１０３及び外部回路接続用端子１０２を介して効率的な放熱が可能となる。しかも、クロック位相差補正回路５００から外部回路接続用端子１０２に至る距離が、１０ｍｍ以内という比較的短い距離に設定されているため、クロック位相差補正回路５００で発生する熱の放熱経路として、外部回路接続用端子１０２に至るものを、より支配的にできる。これらの結果、位相差補正回路における発熱に伴う局所的な温度上昇によって表示コントラスト斑が発生する事態を、効果的に低減或いは防止できる。
【０１０３】
尚、クロック位相差補正回路５００から外部回路接続用端子１０２に至る距離Ｌは、２ｍｍ以内となるよう構成されてもよい。このように構成することにより、クロック位相差補正回路５００から外部回路接続用端子１０２に至る距離Ｌが、非常に短い距離に設定されているため、位相差補正回路で発生する熱の放熱経路として、外部回路接続用端子に至るものを、より一層支配的にできる。従って、発熱に伴う局所的な温度上昇によって表示コントラスト斑が発生するのを、より一層効果的に低減或いは防止できる。
【０１０４】
以上に説明した液晶装置は、カラー液晶プロジェクタ等に適用することができるが、この場合には、３つの液晶装置がＲＧＢ用のライトバルブとして夫々用いられ、各パネルには夫々ＲＧＢ色分解用のダイクロイックミラーを介して分解された各色の光が入射光として夫々入射されることになる。従って、各実施の形態では、対向基板２に、カラーフィルタは設けられていない。しかしながら、液晶装置においても遮光層２３の形成されていない画素電極１１に対向する所定領域にＲＧＢのカラーフィルタをその保護膜と共に、対向基板２上に形成してもよい。このようにすれば、液晶プロジェクタ以外の直視型や反射型のカラー液晶テレビなどのカラー液晶装置に本実施の形態の液晶装置を適用できる。
【０１０５】
また、液晶装置に用いるスイッチング素子は、正スタガ型又はコプラナー型のポリシリコンＴＦＴでも良いし、逆スタガ型のＴＦＴやアモルファスシリコンＴＦＴ等の他の形式のＴＦＴに対しても、本実施の形態は有効である。
【０１０６】
更に、液晶装置においては、一例として液晶層５０をネマティック液晶から構成したが、液晶を高分子中に微小粒として分散させた高分子分散型液晶を用いれば、配向膜、並びに前述の偏光フィルム、偏光板等が不要となり、光利用効率が高まることによる液晶装置の高輝度化や低消費電力化の利点が得られる。
【０１０７】
尚、データ線駆動回路１０及び走査線駆動回路１３０は、液晶装置用基板１の上に設ける代わりに、例えばＴＡＢ（テープオートメイテッドボンディング基板）上に実装された駆動用ＬＳＩに、液晶装置用基板１の周辺部に設けられた異方性導電フィルムを介して電気的及び機械的に接続するようにしてもよい。
【０１０８】
なお、上述した実施の形態においては、走査線駆動回路１３０の構成については詳述していないが、特にシフトレジスタ部分についてはデータ線駆動回路１５０と同様の構成を採ることができる。
【０１０９】
（電子機器）
次に、以上詳細に説明した液晶装置１を備えた電子機器の実施の形態について図１５から図１８を参照して説明する。
【０１１０】
先ず図１５に、このように液晶装置１を備えた電子機器の概略構成を示す。
【０１１１】
図１５において、電子機器は、表示情報出力源１０００、上述した外部表示情報処理回路１００２、前述の走査線駆動回路１３０及びデータ線駆動回路１５０を含む表示駆動回路１００４、液晶装置１、クロック発生回路１００８並びに電源回路１０１０を備えて構成されている。表示情報出力源１０００は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、光ディスク装置などのメモリ、テレビ信号を同調して出力する同調回路等を含んで構成され、クロック発生回路１００８からのクロック信号に基づいて、所定フォーマットの画像信号などの表示情報を表示情報処理回路１００２に出力する。表示情報処理回路１００２は、増幅・極性反転回路、相展開回路、ローテーション回路、ガンマ補正回路、クランプ回路等の周知の各種処理回路を含んで構成されており、クロック発生回路１００８からのクロック信号に基づいて入力された表示情報からデジタル信号を順次生成し、クロック信号ＣＬＫと共に表示駆動回路１００４に出力する。表示駆動回路１００４は、走査線駆動回路１３０及びデータ線駆動回路１５０によって前述の駆動方法により液晶装置１を駆動する。電源回路１０１０は、上述の各回路に所定電源を供給する。尚、液晶装置１を構成する液晶装置用基板の上に、表示駆動回路１００４を搭載してもよく、これに加えて表示情報処理回路１００２を搭載してもよい。
【０１１２】
このような構成の電子機器として、図１６に示す液晶プロジェクタ、図１７に示すマルチメディア対応のパーソナルコンピユータ（ＰＣ）及びエンジニアリング・ワークステーション（ＥＷＳ）、あるいは携帯電話、ワードプロセッサ、テレビ、ビューファインダ型又はモニタ直視型のビデオテープレコーダ、電子手帳、電子卓上計算機、カーナビゲーション装置、ＰＯＳ端末、タッチパネルを備えた装置などを挙げることができる。
【０１１３】
次に図１６から図１８に、このように構成された電子機器の具体例を夫々示す。
【０１１４】
図１６において、電子機器の一例たる液晶プロジェクタ１１００は、投射型の液晶プロジェクタであり、光源１１１０と、ダイクロイックミラー１１１３，１１１４と、反射ミラー１１１５，１１１６，１１１７と、入射レンズ１１１８，リレーレンズ１１１９，出射レンズ１１２０と、液晶ライトバルブ１１２２，１１２３，１１２４と、クロスダイクロイックプリズム１１２５と、投射レンズ１１２６とを備えて構成されている。液晶ライトバルブ１１２２，１１２３，１１２４は、上述した駆動回路１００４が液晶装置用基板上に搭載された液晶装置１を含む液晶表示モジュールを３個用意し、夫々液晶ライトバルブとして用いたものである。また、光源１１１０はメタルハライド等のランプ１１１１とランプ１１１１の光を反射するリフレクタ１１１２とからなる。
【０１１５】
以上のように構成される液晶プロジェクタ１１００においては、青色光・緑色光反射のダイクロイックミラー１１１３は、光源１１１０からの白色光束のうちの赤色光を透過させるとともに、青色光と緑色光とを反射する。透過した赤色光は反射ミラー１１１７で反射されて、赤色光用液晶ライトバルブ１１２２に入射される。一方、ダイクロイックミラー１１１３で反射された色光のうち緑色光は緑色光反射のダイクロイックミラー１１１４によって反射され、緑色光用液晶ライトバルブ１１２３に入射される。また、青色光は第２のダイクロイックミラー１１１４も透過する。青色光に対しては、長い光路による光損失を防ぐため、入射レンズ１１１８、リレーレンズ１１１９、出射レンズ１１２０を含むリレーレンズ系からなる導光手段１１２１が設けられ、これを介して青色光が青色光用液晶ライトバルブ１１２４に入射される。各ライトバルブにより変調された３つの色光はクロスダイクロイックプリズム１１２５に入射する。このプリズムは４つの直角プリズムが貼り合わされ、その内面に赤光を反射する誘電体多層膜と青光を反射する誘電体多層膜とが十字状に形成されている。これらの誘電体多層膜によって３つの色光が合成されて、カラー画像を表す光が形成される。合成された光は、投射光学系である投射レンズ１１２６によってスクリーン１１２７上に投射され、画像が拡大されて表示される。
【０１１６】
図１７において、電子機器の他の例たるラップトップ型のパーソナルコンピュータ１２００は、上述した液晶装置１がトップカバーケース内に備えられた液晶ディスプレイ１２０６と、ＣＰＵ、メモリ、モデム等を収容すると共にキーボード１２０２が組み込まれた本体部１２０４とを有する。
【０１１７】
また、図１８に示すように、液晶装置用基板１３０４を構成する２枚の透明基板１３０４ａ，１３０４ｂの一方に、金属の導電膜が形成されたポリイミドテーブ１３２２にＩＣチップ１３２４を実装したＴＣＰ（Ｔａｐｅ  Ｃａｒｒｉｅｒ  Ｐａｃｋａｇｅ）１３２０を接続して、電子機器用の一部品である液晶装置として生産、販売、使用することもできる。
【０１１８】
以上、図１６から図１８を参照して説明した電子機器の他にも、液晶テレビ、ビューファインダー型又はモニタ直視型のビデオテープレコーダ、カーナビゲーション装置、電子手帳、電卓、ワードプロセッサ、ワークステーション、携帯電話、テレビ電話、ＰＯＳ端末、タッチパネルを備えた装置等が図１５に示した電子機器の例として挙げられる。
【０１１９】
本発明は、上述した実施形態に限られるものではなく、請求の範囲及び明細書全体から読み取れる発明の要旨或いは思想に反しない範囲で適宜変更可能であり、そのような変更を伴なう電気光学装置、その駆動回路及び電子機器もまた本発明の技術的範囲に含まれるものである。
【図面の簡単な説明】
【図１】本発明の液晶表示装置の全体構成を示すブロック図である。
【図２】図１のデータ線駆動回路１５０及びサンプリング回路１４０の詳細を示すロジック回路図である。
【図３】図２のロジック回路図の主要信号の状態を示すタイミングチャート図である。
【図４】図１の液晶装置におけるクロック位相差補正回路の構成を示す回路図である。
【図５】図４の回路における各位置の信号を示すタイミングチャート図である。
【図６】クロック位相差補正回路における各信号経路の負荷容量を説明するための回路図である。
【図７】クロック位相差補正回路において、第２バッファー回路を多段のインバータ回路で構成した場合の回路図である。
【図８】第１実施形態におけるクロック位相差補正回路の配置例を示すブロック図である。
【図９】第２実施形態におけるクロック位相差補正回路の配置例を示すブロック図である。
【図１０】第３実施形態におけるクロック位相差補正回路の配置例を示すブロック図である。
【図１１】液晶装置の全体構成を示す平面図である。
【図１２】液晶装置の全体構成を示す断面図であり、図１１のＨ−Ｈ’断面図である。
【図１３】液晶装置全体及び液晶装置とフレキシブルコネクタとの接続状態を示した斜視図である。
【図１４】クロック位相差補正回路５００の配置例を示す平面図であり、図１１のＡ部を拡大して示すものである。（ａ）は第１実施形態におけるクロック位相差補正回路の配置例を示す。（ｂ）は、第２実施形態におけるクロック位相差補正回路の配置例を示す。
【図１５】本発明による電子機器の実施の形態の概略構成を示すブロック図である。
【図１６】電子機器の一例としての液晶プロジェクタを示す断面図である。
【図１７】電子機器の他の例としてのパーソナルコンピュータを示す正面図である。
【図１８】電子機器の一例としてのＴＣＰを用いた液晶表示装置を示す斜視図である。
【符号の説明】
１・・・液晶装置、１０・・・液晶装置用基板、２０・・・対向基板、２１・・・共通電極、２３・・・遮光層、５０・・・液晶層、５２・・・シール材、５３・・・額縁遮光膜、１００・・・液晶パネル、１１０・・・画像表示領域、１０２・・・外部回路接続用端子、１０３・・・クロック信号配線、１１２・・・走査線、１１４・・・データ線、１１６・・・ＴＦＴ、１１８・・・画素電極、１３０・・・走査線駆動回路、１４０・・・サンプリング回路、１４１・・・片チャネル型ＴＦＴ、１５０・・・データ線駆動回路、１６０・・・双方向シフトレジスタ、１７０・・・イネーブル回路、２００・・・タイミングジェネレータ、３００・・・画像信号処理装置、５００・・・クロック信号位相差補正回路、５０１・・・第１バッファー回路、５０２・・・双安定回路、５０３・・・第２バッファー回路、６００・・・フレキシブルコネクタ、６１０・・・異方性導電フィルム（ＡＣＦ）
【図１】
2004334114.tif 000003
【図２】
2004334114.tif 000004
【図３】
2004334114.tif 000005
【図４】
2004334114.tif 000006
【図５】
2004334114.tif 000007
【図６】
2004334114.tif 000008
【図７】
2004334114.tif 000009
【図８】
2004334114.tif 000010
【図９】
2004334114.tif 000011
【図１０】
2004334114.tif 000012
【図１１】
2004334114.tif 000013
【図１２】
2004334114.tif 000014
【図１３】
2004334114.tif 000015
【図１４】
2004334114.tif 000016
【図１５】
2004334114.tif 000017
【図１６】
2004334114.tif 000018
【図１７】
2004334114.tif 000019
【図１８】
2004334114.tif 000020